(57)【要約】【課題】第１及び第２のスクリーン１６，１７をそれらの間に取り付けた多数の調光用のスラット１８と共に巻取軸１２に巻き取るようにした網戸において、両スクリーンの下端のボトムバーを、スクリーン枠の下枠に対して安定的に当接できるようにする。【解決手段】第１及び第２のスクリーン１６，１７とそれらの間に等間隔で起倒自在に取り付けたスラット１８を巻取軸１２に巻き取るようにし、第１のスクリーンの両側端はガイドレール２４に摺動自在に係合させ、両スクリーンの下端にそれぞれ側枠２３により個別にガイドさせたボトムバー２６，２７を取り付ける。両スクリーンは、それをスクリーン枠内に張設した状態で上記スラットが採り得る任意の傾斜姿勢において、下端のボトムバー２６，２７のいずれかがスクリーン枠の下枠に当接する。【選択図】図４
2014115684.tif 000002
【特許請求の範囲】
【請求項１】
巻取軸により上部に巻き取られるネット状の透光性を有する第１のスクリーンと、上記巻取軸に上記第１のスクリーンと共に重ねて巻き取られるネット状の透光性を有する第２のスクリーンと、上記第１のスクリーンと第２のスクリーンとの間に連結する多数のスラットであって、両端が上記両スクリーンに対して等間隔で起倒自在に連結され、上記第１及び第２のスクリーンと共に上記巻取軸に巻き取り可能な可撓性を有するシート状の一定幅を有する調光或いは遮光用の上記スラットとによって構成されたスクリーンユニットを備え、
上記スクリーンユニットは、上記第１及び第２のスクリーンが重ねて巻き取られるように、両スクリーンの各一端が上記巻取軸の周面に取り付けられ、
上記第１のスクリーンは、その左右側端部に沿って多数の係合子を取り付け、この係合子をスクリーン枠の側枠におけるガイドレールのスリット内に摺動自在に係合させ、
上記第１及び第２のスクリーンは、それらの下端にそれぞれ個別に第１及び第２のボトムバーを取り付けて、少なくとも上記第１のスクリーンの下端に取り付けた第１のボトムバーは、その両端の上下移動を上記側枠のガイド溝によりガイドさせ、
上記第１及び第２のスクリーンは、両スクリーンをスクリーン枠に張設した状態で上記スラットが採り得る任意の傾斜姿勢において、それらの下端のボトムバーのいずれかがスクリーン枠の下枠に当接するように、それらの長さが設定されている、
ことを特徴とするブラインド機能付き網戸。
【請求項２】
上記第１及び第２のスクリーンの巻取軸に対する取り付けが、上記巻取軸の巻き戻し回転による両スクリーンの降下により、第１及び第２のボトムバーが同時に、または第１のボトムバーが第２のボトムバーに先行することなくスクリーン枠の下枠に達した後に、第２のスクリーンが巻取軸に対して逆巻きの状態になって、該第２のスクリーンを第１のスクリーンに対して上動させる寸法関係を有するものとして構成され、これにより、第１及び第２のボトムバーのいずれかが上記下枠に当接した状態で、上記各スラットが第２のスクリーン側において上下動する傾斜姿勢を取り得るように形成されている、
ことを特徴とする請求項１に記載のブラインド機能付き網戸。
【請求項３】
上記巻取軸の巻き戻し回転による両スクリーンの降下時に、両スクリーンにそれぞれ連結された多数のスラットが第１のスクリーンに対して第２のスクリーンを吊下し、それにより、第２のスクリーン及びその下端の第２のボトムバーが第１のスクリーンに支持されて垂れ下がる状態になる寸法関係を有するものとして、上記両スクリーンが上記巻取軸に取り付けられている、
ことを特徴とする請求項２に記載のブラインド機能付き網戸。
【請求項４】
上記スラットが、幅方向の両側部に第１及び第２のスクリーンと連結するための一定幅の連結代を有し、
上記第１及び第２のスクリーンの間に該スラットを配設して、それらが平面状をなすように重ねたときに、第１のスクリーンに連結したスラットの一側部の連結代に対し、隣接するスラットの第２のスクリーンに対する連結代が重なる位置において、該隣接するスラットが第２のスクリーンに対して連結され、この繰り返しによりスクリーンユニットが構成されている、
ことを特徴とする請求項３に記載のブラインド機能付き網戸。
【請求項５】
上記第２のスクリーンの下端に取り付けた第２のボトムバーの両端の上下移動を、上記側枠における第１のボトムバーのガイド溝に近接させて設けた第２のボトムバーのガイド溝によりガイドさせ、両ガイド溝を第１及び第２のボトムバーが相互に接触しない範囲で近接するように形成している、
ことを特徴とする請求項４に記載のブラインド機能付き網戸。
【請求項６】
上記第２のスクリーンの下端に取り付けた第２のボトムバーの両端の上下移動をガイドする上記側枠のガイド溝を、上記側枠における第１のボトムバーのガイド溝に近接させて設け、該ガイド溝の下部においては、上記スラットの傾斜姿勢を調整できる範囲にまで両スクリーンが降下している範囲において、第２のボトムバーの両端を上記ガイド溝から解放し、スクリーン枠の下部に、第２のボトムバーが巻取軸から垂下する状態からスクリーン枠を離れる方向に遊動するのを制限する移動制限用アタッチメントを付設している、
ことを特徴とする請求項４に記載のブラインド機能付き網戸。
【請求項７】
上記第２のスクリーンの下端に取り付けた第２のボトムバーを、その両端の上下移動を無ガイドとして第２のスクリーンに吊下している、
ことを特徴とする請求項４に記載のブラインド機能付き網戸。
【請求項８】
上記巻取軸の巻き戻し回転による両スクリーンの降下の後に、上記第２のスクリーンが巻取軸に対して逆巻きの状態になって、巻取軸からの第２のスクリーンの導出位置が第１のスクリーンから最も離れた位置にあるときに該第２のスクリーンが巻取軸から吊下される位置を最大離間位置として、側枠における第１のボトムバーのガイド溝から一定長離間した位置において第２のボトムバーの上下移動をガイドするガイド溝を設け、該ガイド溝に第２のボトムバーの両端をガイドさせている、
ことを特徴とする請求項４に記載のブラインド機能付き網戸。
【請求項９】
上記巻取軸に第１及び第２のスクリーンを重ねて巻き取った状態では、巻き取った第１のスクリーンの側端部に沿って取り付けている係合子の巻取りスクリーン表面からの導出位置が、側枠における該係合子のガイドレールの上方に位置するように、上記巻取軸を収容する巻取りボックス内における該巻取軸の支持位置が設定され、
且つ、上記巻取軸からの両スクリーンの巻き戻しにより第２のスクリーンが該巻取軸における第１のスクリーン導出側とは逆の周側面から垂下される状態では、その垂下位置が上記第１のスクリーンの張設位置に対して両スクリーン間に取り付けているスラットが最大長をとる位置になるように、上記巻取りボックス内への巻取軸の支持位置が設定されている、
ことを特徴とする請求項４に記載のブラインド機能付き網戸。
【請求項１０】
上記第１のスクリーンの下端に取り付ける第１のボトムバーを、ボトムバー本体にその下部から寸法調整用の補助桟が出没自在に付設されたものとして形成している、
ことを特徴とする請求項１〜９のいずれかに記載のブラインド機能付き網戸。
【請求項１１】
少なくとも上記第１のスクリーンを防虫用ネットにより構成し、
上記巻取軸を回転可能に収容した巻取りボックスにおける下部の第１及び第２のスクリーンが導出される開口部において、第１のスクリーンの側端の係合子がガイドレールに摺動自在に係合している範囲内で該第１のスクリーンに対向する巻取りボックスの開口部縁に、巻取軸から導出される第１のスクリーンに近接または接触してその間の虫類の通過を抑止する隙間封止材を配設した、
ことを特徴とする請求項１〜９のいずれかに記載のブラインド機能付き網戸。
【請求項１２】
上記スラットを遮光性のあるシートにより形成して、隣接するスラットをそれらの間から光漏れしないように配列させると共に、第１のスクリーンの左右側端に沿って取り付ける多数の係合子の支持帯、或いは上記スクリーン枠の側枠に設けた遮光枠により、第１のスクリーンの左右側端に沿う光漏れを遮断し、
更に、上記巻取軸を回転可能に収容した巻取りボックスにおける下部の第１及び第２のスクリーンが導出される開口部の第１のスクリーンに対向する開口部縁に、巻取軸から導出される第１のスクリーンに近接または接触してその間の光漏れを抑止する漏れ防止材を配設した、
ことを特徴とする請求項１〜９のいずれかに記載のブラインド機能付き網戸。
【請求項１３】
スクリーン枠の左右側枠に、該側枠における上下方向のスクリーンユニットの張設可能範囲にわたって、第１のスクリーンと第２のスクリーンとの間が最も開いた状態にあるときの該両スクリーン間の左右端面、並びに、第２のスクリーンにおける左右端の前面側を覆うように、上記スクリーンユニットの保護及び防塵のためのカバーを付設した、
ことを特徴とする請求項１〜９のいずれかに記載のブラインド機能付き網戸。
【請求項１４】
上記巻取軸の軸端に、該巻取軸を回転させて第１及び第２のスクリーンの巻き取り・巻き戻し回転を行うための開閉操作具を備え、該開閉操作具に、上記巻取軸の巻き戻し回転時の過回転によって第１のボトムバーがスクリーン枠の下枠に当接後に該下枠から離間する前に、巻取軸の回転を停止させるストッパを設けた、
ことを特徴とする請求項１〜９のいずれかに記載のブラインド機能付き網戸。
【発明の詳細な説明】
【技術分野】
【０００１】
本発明は、建物開口部等に設置して、防虫、通風、遮光、日除け、目隠し等を行うためのブラインド機能付き網戸に関するものである。
【背景技術】
【０００２】
例えば、特許文献１に開示されているように、建物開口部に設置して、スラットの傾斜角度を可変にするブラインドの機能をも持たせた網戸は、既に知られている。この網戸を含むスクリーン装置は、巻取軸により巻き取られるネットまたはシート状のスクリーンと、該スクリーンの一面側に略等間隔で起倒自在に取り付けられ、遊端側をネット等の可撓連結材に対してスクリーンへの取り付け間隔と略同間隔で連結してなる多数のスラットと、回転により該スクリーンをそれに取り付けたスラット及び可撓連結材等と共に巻き取る巻取軸とを備え、上記スクリーンが巻取軸から繰り出されて建物開口部に張設された状態において、上記スラットの遊端側をスクリーンに対して起倒可能にしたものである。
また、特許文献２にも同種のものが開示されている。【０００３】
この種のスクリーン装置においては、巻取軸に巻いたスクリーン、スラット及びネット等の可撓連結材等を、該巻取軸からの巻き戻しにより建物開口部に張設するに際しては、スラットで遮光するために、それらのスクリーン等の下端に設けたボトムバーがスクリーン枠の下枠に到達するまでは、各スラットをスクリーンに沿う遮光状態に保持可能とし、また、上記ボトムバーがスクリーン枠の下枠に到達した後には、少なくとも何らかの操作により、スラットの遊端側をスクリーンに対して適当な傾斜角度に起倒させることを可能にする必要がある。しかも、上記ボトムバーがスクリーン枠の下枠に到達した状態において、そのスラットの遊端側の適当な傾斜角度での起倒に際し、風等によるガタ付きや虫の侵入を防止するために、上記ボトムバーがスクリーン枠の下枠から常に離間しない状態として、その操作を簡便で安定的に行うことができて、スラットの傾斜角度を自由に調整できるものであることが望まれる。【０００４】
このような観点から特許文献１に開示のスクリーン装置の構成について考察すると、当該スクリーン装置においては、回転自在の巻取軸２に巻き付けているところの、多数のスラット５の一端が取り付けられたスクリーン４の下端と、多数のスラット５の他端が取り付けられた可撓連結材６の下端との間に、単一のボトムバー８を取り付けているので、構成的に簡素化されている点ではすぐれているが、その構成に起因して、次のような問題がある。【０００５】
即ち、上述のように、スクリーン４の下端と可撓連結材６の下端との間に単一のボトムバー８を取り付ける構成を採用すると、そのスクリーン装置を設置する建物開口部の上下方向の開口長に応じて、スクリーンや可撓連結材の長さを簡易に調整することが困難であり、例えば、スクリーンの下端に取り付けたボトムバーを上記スラットの傾斜姿勢に拘わらず常にスクリーン枠の下枠に対して安定的に当接させ、風等によるガタ付きや、上記下枠との間に隙間が生じて、著しく外観が損なわれたりするのを抑制するのが困難であり、そして、上記スクリーンとして防虫用ネットを用い、スクリーン装置を防虫網戸として使用する場合には、上記下枠とボトムバーとの間に隙間が生じると、それが虫の進入路になる。また、スクリーンや可撓連結材が建物開口部の上下方向の開口長よりも長くなる場合には、それらに生じる撓みによってスラットの傾斜姿勢が不安定になる。【０００６】
上記下枠とボトムバーとの間に隙間が生じ易いのは、上述したように、巻取軸２に巻き付けているスクリーン４と可撓連結材６の下端間に単一のボトムバー８を取り付けて構成を簡易化していることに起因し、該ボトムバー８の姿勢が風等で不安定になるためであり、そこで、図１９の（Ａ）（Ｂ）に示すようにボトムバー８の下枠９に対する接触面８ａを円弧面にすることでボトムバー８の姿勢を安定化することを試みたが、この場合にも、一対のスクリーン４と可撓連結材６との長さをスクリーン枠内の上下間寸法に適合させてスクリーン装置を現場に設置しないと、ボトムバー８と下枠９との間に隙間ができ、しかも、ボトムバー８の風等によるガタつきをガイドなどで防止できない点に難がある。
【先行技術文献】
【特許文献】
【０００７】
【特許文献１】特開２０００−１１０４６２号公報
【特許文献２】特開平６−８８４６９号公報
【発明の概要】
【発明が解決しようとする課題】
【０００８】
本発明の技術的課題は、巻取軸により上部に巻き取られる第１のスクリーンと第２のスクリーンとの間に、多数の調光或いは遮光用のスラットの両端を、それぞれのスクリーンに対して等間隔で起倒自在に取り付け、該スラットを上記両スクリーンと共に重ねて巻取軸に巻き取るようにしたブラインド機能付き網戸において、上記両スクリーンの下端に個別的に取り付けたボトムバーのいずれかが、上記スラットの傾斜姿勢に拘わらず常にスクリーン枠の下枠に対して安定的に当接して、その姿勢が風等で不安定になったり、上記下枠との間に隙間が生じて外観が損なわれたり、また、該隙間が虫の進入路になったりするのを抑止できるようにしたブラインド機能付き網戸を提供することにある。【０００９】
また、本発明の他の技術的課題は、簡単な構成で、防虫、通風を確保する網戸としては勿論、スクリーン張設面の全面をスラットで覆った日除け、或いは目隠し状態としたり、該スラットの角度調節により調光、遮光もできるようにしたブラインド機能付き網戸を提供することにある。
【課題を解決するための手段】
【００１０】
上記課題を解決するため、本発明によれば、巻取軸により上部に巻き取られるネット状の透光性を有する第１のスクリーンと、上記巻取軸に上記第１のスクリーンと共に重ねて巻き取られるネット状の透光性を有する第２のスクリーンと、上記第１のスクリーンと第２のスクリーンとの間に連結する多数のスラットであって、両端が上記両スクリーンに対して等間隔で起倒自在に連結され、上記第１及び第２のスクリーンと共に上記巻取軸に巻き取り可能な可撓性を有するシート状の一定幅を有する調光或いは遮光用の上記スラットとによって構成されたスクリーンユニットを備え、上記スクリーンユニットは、上記第１及び第２のスクリーンが重ねて巻き取られるように、両スクリーンの各一端が上記巻取軸の周面に取り付けられ、上記第１のスクリーンは、その左右側端部に沿って多数の係合子を取り付け、この係合子をスクリーン枠の側枠におけるガイドレールのスリット内に摺動自在に係合させ、上記第１及び第２のスクリーンは、それらの下端にそれぞれ個別に第１及び第２のボトムバーを取り付けて、少なくとも上記第１のスクリーンの下端に取り付けた第１のボトムバーは、その両端の上下移動を上記側枠のガイド溝によりガイドさせ、上記第１及び第２のスクリーンは、両スクリーンをスクリーン枠に張設した状態で上記スラットが採り得る任意の傾斜姿勢において、それらの下端のボトムバーのいずれかがスクリーン枠の下枠に当接するように、それらの長さが設定されていることを特徴とするブラインド機能付き網戸が提供される。【００１１】
上記構成を有する本発明のブラインド機能付き網戸においては、第１及び第２のスクリーンの下端にそれぞれ個別に第１及び第２のボトムバーを取り付け、少なくとも第１のボトムバーはその両端の上下移動を上記側枠のガイド溝によりガイドさせ、しかも、上記第１のスクリーンの係合子をスクリーン枠の側枠におけるガイドレールのスリット内に摺動自在に係合させているので、該第１のスクリーンはその下端のボトムバーにより、その巻き戻し状態の如何に拘わらずスクリーン枠内に緊張状態に張設することができ、それに伴って、この第１のスクリーンにスラットにより連結されると共に下端に第２のボトムバーを取り付けている第２のスクリーンも、特別の状態を除いてスクリーン枠内において緊張状態に張設される。【００１２】
そして、上記第１及び第２のスクリーンの長さを、それらがスクリーン枠に張設された状態で、上記スラットが採り得る任意の傾斜姿勢において、それらの下端のボトムバーのいずれかが常にスクリーン枠の下枠に当接するように設定しているので、いずれかのボトムバーがスクリーン枠の下枠に対して安定的に当接し、その姿勢が風等で不安定になったり、上記下枠との間に隙間が生じて外観が損なわれたりすることがなく、また、該隙間が虫の進入路になったりするのを抑止することができる。【００１３】
本発明に係る上記ブラインド機能付き網戸の好ましい実施形態においては、上記第１及び第２のスクリーンの巻取軸に対する取り付けが、上記巻取軸の巻き戻し回転による両スクリーンの降下により、第１及び第２のボトムバーが同時に、または第１のボトムバーが第２のボトムバーに先行することなくスクリーン枠の下枠に達した後に、第２のスクリーンが巻取軸に対して逆巻きの状態になって、該第２のスクリーンを第１のスクリーンに対して上動させる寸法関係を有するものとして構成され、これにより、第１及び第２のボトムバーのいずれかが上記下枠に当接した状態で、上記各スラットが第２のスクリーン側において上下動する傾斜姿勢を取り得るように形成される。【００１４】
この構成によれば、両スクリーンの降下により、いずれかのボトムバーがスクリーン枠の下枠に対して当接した後に、上記各スラットが第２のスクリーン側において上下動する傾斜姿勢を取らせる間は、いずれかのボトムバーがスクリーンによる巻き上げ力が作用しない状態でその自重により下枠に安定的に当接し、過度の巻き上げを行わない限り、そのボトムバーの浮上が確実に抑止される。【００１５】
本発明に係る上記ブラインド機能付き網戸の他の好ましい実施形態においては、上記巻取軸の巻き戻し回転による両スクリーンの降下時に、両スクリーンにそれぞれ連結された多数のスラットが第１のスクリーンに対して第２のスクリーンを吊下し、それにより、第２のスクリーン及びその下端の第２のボトムバーが第１のスクリーンに支持されて垂れ下がる状態になる寸法関係を有するものとして、上記両スクリーンが上記巻取軸に対して取り付けられる。【００１６】
かかる構成においては、上記第１のスクリーンが、その左右側端部に設けた多数の係合子をスクリーン枠の側枠におけるガイドレールのスリットに摺動自在に係合させているのに対し、第２のスクリーンの左右側端部は側枠にガイドされていないのでフリーの状態にあり、しかしながら、第１のスクリーンに対して多数のスラットにより第２のスクリーン及びその下端の第２のボトムバーが吊下された状態にあり、そのため、両スクリーンの下端に設けたボトムバーがスクリーン枠の下枠に到達するまでは、第２のスクリーン及び第２のボトムバーがそれらに作用する重力により第１のスクリーンに沿う方向に引き寄せられた状態に保持されて垂れ下がり、特に第２のスクリーンを第１のスクリーンに平行に近い状態に積極的に保持しなくても、スラットが第１のスクリーンに近接して平行に近い状態に保持される。逆に、後述のように、第２のボトムバーがある程度第１のボトムバーから離れた位置においてガイドされたとしても、第２のスクリーンは第１のスクリーンに近接した平行に近い状態に保持される。【００１７】
本発明に係る上記ブラインド機能付き網戸の他の好ましい実施形態においては、上記スラットが、幅方向の両側部に第１及び第２のスクリーンと連結するための一定幅の連結代を有し、上記第１及び第２のスクリーンの間に該スラットを配設して、それらが平面状をなすように重ねたときに、第１のスクリーンに連結したスラットの一側部の連結代に対し、隣接するスラットの第２のスクリーンに対する連結代が重なる位置において、該隣接するスラットが第２のスクリーンに対して連結され、この繰り返しによりスクリーンユニットが構成される。【００１８】
このような構成を採用すると、第１のスクリーンに対して多数のスラットにより第２のスクリーン及びその下端の第２のボトムバーを吊下し、第２のスクリーン及び第２のボトムバーがそれらに作用する重力により第１のスクリーンに沿う方向に引き寄せられた状態に垂れ下がっているときには、各スラットがその両側部の連結代において順次重なるようになって、該スラットによる調光ないし遮光に無駄な部分が生じるようなことがなく、しかも多数の上記スラットが等間隔で整列してデザイン的に美観を呈するものになる。【００１９】
また、本発明に係る上記ブラインド機能付き網戸の他の好ましい実施形態においては、上記第２のスクリーンの下端に取り付けた第２のボトムバーの両端の上下移動を、以下に説明するような各種態様でガイドし、或いはそのガイドを省略することができる。
先ず、その第１のガイド形態は、上記第２のスクリーンの下端に取り付けた第２のボトムバーの両端の上下移動を、上記側枠における第１のボトムバーのガイド溝に近接させて設けた第２のボトムバーのガイド溝によりガイドさせるもので、この場合には、両ガイド溝を第１及び第２のボトムバーが相互に接触しない範囲で近接するように形成することになる。【００２０】
この第１のガイド形態では、上記巻取軸の巻き戻し回転により両スクリーンを降下させる際には、上述したように、第１のスクリーンに対して多数のスラットにより第２のスクリーン及びその下端の第２のボトムバーが吊下された状態にあるため、両スクリーンの下端に設けたボトムバーがスクリーン枠の下枠に到達するまでは、第２のスクリーン及び第２のボトムバーの重力によりそれらが第１のスクリーンに沿う方向に引き寄せられた状態に保持される。しかも、第２のボトムバーを、その両端の上下移動を第１のボトムバーのガイド溝に近接させた上記ガイド溝によりガイドさせると、両スクリーンの降下時に、スラットがより一層第１のスクリーンに近接してそれに平行に近い状態に保持され、これによって両スクリーンの降下時に多数のスラットを可及的に第１スクリーンに対して平行な状態に配向させ、該スラットによる遮蔽性を高めることが可能になる。【００２１】
但し、第２のスクリーンの下端に取り付けた第２のボトムバーの両端を第１のスクリーンのガイド溝に近接したガイド溝によりガイドするので、第２のスクリーンの下端の第２のボトムバーが下枠に達して、巻取軸による第２のスクリーンの逆巻きにより第２のスクリーンの吊下位置が第１のスクリーンから離れた位置に移動したときには、第２のスクリーン自体はガイドされていないので上記吊下位置からある程度真っ直ぐに垂れ下がるが、該第２のスクリーンはその下部まで真っ直ぐに垂れ下がらず、第１のスクリーン側に若干引かれた状態になって少し弛みが出ることになる。その弛みがスクリーンの下部で目立たないように設置できる場合には機能的に問題にならないが、次の第２のガイド形態を採用することによりそれを解消することもできる。【００２２】
本発明に係る上記ブラインド機能付き網戸の第２のガイド形態は、上記第２のスクリーンの下端に取り付けた第２のボトムバーの両端の上下移動をガイドする上記側枠のガイド溝を、上記側枠における第１のボトムバーのガイド溝に近接させて設けるが、該ガイド溝の下部においては、上記スラットの傾斜姿勢を調整できる範囲にまで両スクリーンが降下している範囲において、第２のボトムバーの両端を上記ガイド溝から解放するようにし、そのうえで、スクリーン枠の下部に、第２のボトムバーが巻取軸から垂下する状態からスクリーン枠を離れる方向に遊動するのを制限する移動制限用アタッチメントを付設する構成である。【００２３】
この第２のガイド形態は、第２のスクリーンの下端の第２のボトムバーのガイド溝を無くしているが、該第２のボトムバーのガイド溝が存在する範囲内においては、第１のガイド形態と同様な形態を備えるため、第１のガイド形態と同様な動作を行うことになる。そして、この第２のガイド形態では、第２のボトムバーの両端が上記ガイド溝によるガイドからから解放された後には、上記スクリーン枠の下部においてガイド溝の溝幅を拡げ、しかし、第２のボトムバーが巻取軸から垂下する状態からスクリーン枠を離れる方向に遊動するのを制限する移動制限用アタッチメントを付設しているので、上記ボトムバーが第２のスクリーンを真っ直ぐに垂下させることになって、上記第２のスクリーンの下部等の部分的な弛みは解消され、風等による第２のボトムバーの極端な動きも上記アタッチメントによって抑制される。【００２４】
第２のボトムバーの両端の上下移動についての第３のガイド形態は、上記第２のスクリーンの下端に取り付けた第２のボトムバーを、その両端の上下移動を無ガイドとして第２のスクリーンに吊下する構成である。
この第３のガイド形態においては、第２のボトムバーの両端の上下移動をガイドするガイド溝は存在しないが、第１のスクリーンに対して多数のスラットにより第２のスクリーン及びその下端の第２のボトムバーが吊下されていることから、上記第１の形態に関して先に説明したように、両スクリーンのボトムバーのいずれかがスクリーン枠の下枠に到達するまでは、第２のスクリーンが第１のスクリーンに平行に近い状態に保持される。つまり、第２のボトムバーのガイド溝がなくても、若干第２のボトムバーの動作が不安定になる可能性はあるにしても、ほぼ上記と同様な動作を行うことになる。
なお、必要に応じて、第２のガイド形態と同様に、第２のボトムバーの極端な動きは抑制する移動制限用アタッチメントを付設することにより、第２のスクリーンの下部等の部分的な弛みが抑制され、第２のボトムバーの望ましくない遊動も抑制される。【００２５】
また、本発明の第２のボトムバーの第４のガイド形態は、上記巻取軸の巻き戻し回転による両スクリーンの降下の後に、上記第２のスクリーンが巻取軸に対して逆巻きの状態になって、巻取軸からの第２のスクリーンの導出位置が第１のスクリーンから最も離れた位置にあるときに該第２のスクリーンが巻取軸から吊下される位置を最大離間位置として、側枠における第１のボトムバーのガイド溝から一定長離間した位置において第２のボトムバーの上下移動をガイドするガイド溝を設け、該ガイド溝に第２のボトムバーの両端をガイドさせる構成である。【００２６】
この第４のガイド形態によれば、第２のボトムバーのガイド溝を、第１のボトムバーのガイド溝から離れた位置に設けるので、そのガイド溝により第２のボトムバーの両端がガイドされるが、第２のスクリーン自体はガイドされないので、前述したように両スクリーンのボトムバーのいずれかがスクリーン枠の下枠に到達するまでは、第２のスクリーンが第１のスクリーンに平行に近い状態に保持され、また、第２のスクリーンの巻取軸に対する逆巻きが始まると、第２のボトムバーが上記ガイド溝にガイドされていることから、第２のスクリーンが該ガイド溝にガイドされた第２のボトムバーから立ち上がる状態で張設され、該ガイド溝が第１のスクリーンから最も離れた上記最大離間位置にある場合には第２のボトムバーから上方にほぼ垂直に張設され、第２のボトムバーの上動位置に応じてスラットが傾斜することになる。【００２７】
本発明に係る上記ブラインド機能付き網戸の他の好ましい実施形態においては、上記巻取軸に第１及び第２のスクリーンを重ねて巻き取った状態では、巻き取った第１のスクリーンの側端部に沿って取り付けている係合子の巻取りスクリーン表面からの導出位置が、側枠における該係合子のガイドレールの上方に位置するように、上記巻取軸を収容する巻取りボックス内における該巻取軸の支持位置が設定され、且つ、上記巻取軸からの両スクリーンの巻き戻しにより第２のスクリーンが該巻取軸における第１のスクリーン導出側とは逆の周側面から垂下される状態では、その垂下位置が上記第１のスクリーンの張設位置に対して両スクリーン間に取り付けているスラットが最大長をとる位置になるように、上記巻取りボックス内への巻取軸の支持位置が設定される。【００２８】
上述のように、巻取軸により上部に巻き取られる第１のスクリーンと第２のスクリーンとの間に多数のスラットの両端を取り付けた前記スクリーンユニットを、両スクリーンを重ねて巻取軸に巻き取るようにしたブラインド機能付き網戸においては、その第１及び第２のスクリーンをスクリーン枠内全面に張設してスラットを傾動させる場合に、第１及び第２のスクリーンの間の間隔が、巻取軸により適切な間隔に保持されるのが望ましく、そのため、巻取軸の径を両スクリーンの上記スラット傾動時の間隔とほぼ同等にするのが適切であるが、巻取軸の径をそのように設定すると、スラット自体がある程度の幅を有していることから、巻取軸に第１及び第２のスクリーンを重ねて巻き取ったときの巻径が大きくなり、それだけ巻取りボックスの内容積を大きくする必要がある。【００２９】
上述した本発明の巻取軸の支持位置に関する実施態様は、かかる問題を解消したものであって、上記実施態様によれば、巻き取った第１のスクリーンの側端部に取り付けている係合子の該巻取りスクリーン表面からの導出位置を、側枠における該係合子のガイドレールの上方に位置させているので、巻取軸から両スクリーンを巻き戻したときには、第１のスクリーンが、上記ガイドレールによる係合子のガイドによって、巻取軸から両スクリーンの巻き厚さだけ離れた位置において垂下されることになり、そのため、巻取軸の軸径を小さくして、第２のスクリーンを巻取軸における第１のスクリーン導出側とは逆の周側面から垂下させることにより、第１及び第２のスクリーンの間隔を適切に保持させることが可能になり、つまり、巻取軸の軸径を小さくして、第１及び第２のスクリーンを重ねて巻き取ったときの巻径を小さくすることができる。【００３０】
本発明に係る上記網戸の他の好ましい実施形態においては、上記第１のスクリーンの下端に取り付ける第１のボトムバーを、ボトムバー本体にその下部から寸法調整用の補助桟が出没自在に付設されたものとして形成することができる。
かかる構成は、第１及び第２のスクリーンの長さが、この網戸を設置する建物開口部の上下方向長さに比して若干短い場合や、或いは何らかの理由で、第１のスクリーンの下端の第１のボトムバーの下降時に、該ボトムバーとスクリーン枠の下枠との間に隙間が生じる場合などに、スクリーンユニットを交換したりすることなく、簡単に上記隙間をなくすために有効なものである。【００３１】
また、本発明に係る上記網戸の更に他の好ましい実施形態においては、少なくとも上記第１のスクリーンを防虫用ネットにより構成し、上記巻取軸を回転可能に収容した巻取りボックスにおける下部の第１及び第２のスクリーンが導出される開口部において、第１のスクリーンの側端の係合子がガイドレールに摺動自在に係合している範囲内で該第１のスクリーンに対向する巻取りボックスの開口部縁に、巻取軸から導出される第１のスクリーンに近接または接触してその間の虫類の通過を抑止する隙間封止材を配設したものとして構成される。【００３２】
上述のように、第１及び第２のスクリーンの間にスラットを取り付けた前記スクリーンユニットを用い、上記スラットを傾動させるようにしたブラインド機能付き網戸においては、巻取りボックスにおける第１のスクリーンが導出される開口部から該巻取りボックス内に虫等が侵入すると、それが室内側に侵入したり、巻取りボックス内においてスクリーンユニットの側端から第１及び第２のスクリーンの間に侵入して脱出できなくなることが多く、それらが第２のスクリーンを通して室内側から視認されるので、非常に見苦しくなり、しかも、そこに虫類の死骸が溜まると網戸が使用に耐えないものになる。
しかしながら、上述した巻取りボックスの所要位置に簡易な隙間封止材を配設することにより、第１及び第２のスクリーン間に虫が侵入したり、外部から室内側に侵入するのを抑止することができる。【００３３】
本発明に係る上記網戸の更に他の好ましい実施形態においては、上記スラットを遮光性のあるシートにより形成して、隣接するスラットをそれらの間から光漏れしないように配列させると共に、第１のスクリーンの左右側端に沿って取り付ける多数の係合子の支持帯、或いは上記スクリーン枠の側枠に設けた遮光枠により、第１のスクリーンの左右側端に沿う光漏れを遮断し、更に、上記巻取軸を回転可能に収容した巻取りボックスにおける下部の第１及び第２のスクリーンが導出される開口部の第１のスクリーンに対向する開口部縁に、巻取軸から導出される第１のスクリーンに近接または接触してその間の光漏れを抑止する漏れ防止材を配設したものとして構成される。【００３４】
上述のように、第１及び第２のスクリーンの間に遮光性のスラットを取り付けた前記スクリーンユニットを用い、上記スラットを傾動させるようにしたブラインド機能付き網戸においては、スラットの傾動のために、第１及び第２のスクリーン間の間隔を単一のスクリーンの場合に比して非常に大きくすることから、巻取りボックスの下面のスクリーンが導出入される開口部を、第１及び第２のスクリーン間の間隔の方向に大きくする必要がある。そのため、この開口部を通して屋外の光が室内に漏れ込むのを抑止することが望まれる。【００３５】
そして、上記光の漏れが生じるのは、第１のスクリーンの下端のボトムバーがスクリーン枠の下枠に当接するまで両スクリーンを巻取軸から繰り出した後に、更に若干巻取軸を回転させると、第１のスクリーンの上端に若干の弛みが生じ、それに伴って巻取りボックス内に位置するスラット間、或いは、巻取りボックスにおける下部開口部の第１のスクリーンに対向する開口部縁と第１のスクリーンとの間に生じる隙間などが主たる部位であり、そのため、上述したような光の漏れ防止材を配設することにより、効果的に抑制することができる。【００３６】
本発明に係る上記網戸の更に他の好ましい実施形態においては、スクリーン枠の左右側枠に、該側枠における上下方向のスクリーンユニットの張設可能範囲にわたって、第１のスクリーンと第２のスクリーンとの間が最も開いた状態にあるときの該両スクリーン間の左右端面、並びに、第２のスクリーンにおける左右端の前面側を覆うように、上記スクリーンユニットの保護及び防塵のためのカバーが付設される。
上記スクリーンユニットは、第１及び第２のスクリーンとスラットで囲まれる筒状空間を有し、この間に異物が入るのを防止することを十分に考慮する必要がある。上記カバーは、このような問題に対処し、筒状空間に異物が入るのを防止するために有効であるだけでなく、幼児らやペット類によるスクリーンユニットの左右両側端の損傷も抑制できる点でも有効なものである。【００３７】
更に、本発明に係る上記網戸の更に他の好ましい実施形態においては、上記巻取軸の軸端に、該巻取軸を回転させて第１及び第２のスクリーンの巻き取り・巻き戻し回転を行うための開閉操作具を備え、該開閉操作具に、上記巻取軸の巻き戻し回転時の過回転によって第１のボトムバーがスクリーン枠の下枠に当接後に該下枠から離間する前に、巻取軸の回転を停止させるストッパを設けたものとして構成される。【００３８】
上記ブラインド機能付き網戸においては、該巻取軸を回転させて第１及び第２のスクリーンの巻き取り・巻き戻し回転を行うための開閉操作具を備えるが、該開閉操作具によりスクリーンユニットを操作する場合、所要位置で該スクリーンユニットを停止させることは比較的困難である。特に、上記スクリーンユニットを備えた網戸においては、第１及び第２のスクリーンを巻き取るときには、最終的に、ボトムバーのいずれかまたは両者が巻取りボックスに当接するので比較的問題はないが、上記巻取軸の巻き戻し回転時に過回転すると、第１のボトムバーがスクリーン枠の下枠に当接後に、両スクリーンが巻取軸に逆巻きで巻き取られる可能性があり、その場合にスクリーンユニットの一部が破損する可能性があるので、第１のボトムバーが下枠から離間する前に該巻取軸の回転を停止させるのが上記破損の防止に有効である。
【発明の効果】
【００３９】
以上に詳述した本発明のブラインド機能付き網戸によれば、巻取軸により上部に巻き取られる第１のスクリーンと第２のスクリーンとの間に、多数の調光或いは遮光用のスラットの両端を、それぞれのスクリーンに対して等間隔で起倒自在に取り付け、該スラットを上記両スクリーンと共に重ねて巻取軸に巻き取るようにしたブラインド機能付き網戸において、上記両スクリーンの下端に個別的に取り付けたボトムバーのいずれかが、上記スラットの傾斜姿勢に拘わらず常にスクリーン枠の下枠に対して安定的に当接して、その姿勢が風等で不安定になったり、上記下枠との間に隙間が生じて外観が損なわれたり、該隙間が虫の進入路になったりするのを抑止することができる。また、簡単な構成で、防虫、通風を確保する網戸としては勿論、スクリーン張設面の全面をスラットで覆った日除け、或いは目隠し状態としたり、該スラットの角度調節により調光、遮光も行うことができる。
【図面の簡単な説明】
【００４０】
【図１】本発明に係るブラインド機能付き網戸の第１実施例における巻取軸からスクリーンの繰り出しを開始した状態を模式的に示す側断面図である。
【図２】図１の状態から更にスクリーンの繰り出しを進行した状態の同側断面図である。
【図３】図２の状態から更にスクリーンの繰り出しを進行し、ボトムバーが下枠に達した状態の同側断面図である。
【図４】図３の状態から更に巻取軸の回転を進行し、スラットがほぼ水平状態に達した状態の同側断面図である。
【図５】図４の状態から更に巻取軸の回転を進行し、スラットが転向の限度に達した状態の同側断面図である。
【図６】本発明に係る網戸に用いるスクリーンユニットの構成についての要部説明図である。
【図７】図２の状態にあるブラインド機能付き網戸の模式的正面図である。
【図８】同水平断面図である。
【図９】第２のスクリーンのボトムバーの両端をガイドするガイド溝の下部を変形させた第２実施例の模式的側断面図である。
【図１０】第２のスクリーンのボトムバーを無ガイドとした第３実施例の模式的側断面図である。
【図１１】第２のスクリーンのボトムバーの両端をガイドするガイド溝を、スラットがほぼ水平状態に達したときの第２のスクリーンの垂下位置に配設した第４実施例の模式的側断面図である。
【図１２】巻取りボックス内への巻取軸の望ましい取付位置について説明するための第５実施例の模式的側断面図である。
【図１３】巻取りボックス及び第１のスクリーンのボトムバーによる設置時の寸法調整の態様（小寸の調整時）について説明するための、側枠の描記を省略した第６実施例の模式的側断面図である。
【図１４】同第６実施例における寸法調整の態様（大寸の調整時）についての説明するための模式的側断面図である。
【図１５】室内及びスクリーンユニットの第１及び第２のスクリーン間への虫の侵入を防止する隙間封止材を備えた第７実施例の模式的側断面図である。
【図１６】隣接スラットの間からの光漏れを抑制する光の漏れ防止材を配設した第８実施例の模式的側断面図である。
【図１７】同第８実施例の背面図である。
【図１８】スクリーンユニットの保護及び防塵のためのカバーを備えた第９実施例の模式的側断面図である。
【図１９】同第９実施例の模式的水平断面図である
【図２０】（Ａ）及び（Ｂ）は、本発明の完成過程の試作品についての模式的説明図である。
【発明を実施するための形態】
【００４１】
図１〜図８は、本発明に係るブラインド機能付き網戸の第１実施例を示すものである。
本発明に係るこの第１実施例、及び以下に示す各実施例は、基本的な構成として、巻取りボックス１１内に回転自在に支持された巻取軸１２により上部に巻き取られるネット状で透光性を有する素材により形成された第１のスクリーン１６と、上記巻取軸１２に上記第１のスクリーン１６と共に重ねて巻き取られるネット状で透光性を有する素材により形成された第２のスクリーン１７と、上記第１のスクリーン１６と第２のスクリーン１７との間に連結する多数のスラット１８であって、両端が上記両スクリーン１６，１７に対してそれぞれ等間隔で起倒自在に連結され、上記第１及び第２のスクリーン１６，１７と共に上記巻取軸１２に巻き取り可能な可撓性を有するシート状の一定幅を有する調光或いは遮光用の上記スラット１８とによって構成されたところのスクリーンユニット１５を備えている。
【００４２】
図１〜図５は、以下に詳述するように、上述のスクリーンユニット１５を用いた上記第１実施例において、巻取軸１２から第１及び第２のスクリーン１６，１７の繰り出しを開始して多数のスラット１８の向きを転向の限度にまで回動させる状態を模式的に示している。
更に、図６は、上記スクリーンユニット１５における第１及び第２スクリーンとスラットとの連結構造を示し、また、図７及び図８は、図２の状態にある網戸１０の構成を、正面図及び水平断面図によって示している。
【００４３】
これらの図面を参照して、上記第１実施例について詳細に説明すると、まず、上記網戸１０は、巻取りボックス１１内に回転自在に支持された巻取軸１２により巻き取られるところの上記スクリーンユニット１５が、屋外側に配される上記第１のスクリーン１６及び屋内側に配される第２のスクリーン１７を重ねて、それらの間に連結した多数のスラット１８が両スクリーン１６，１７と平行な平面状になるように形成され、その状態で第１及び第２のスクリーン１６，１７の各一端が上記巻取軸１２の周面の後述する所定位置に取り付けられ、該巻取軸１２に巻き付けた第１及び第２のスクリーン１６，１７の他端は、上記巻取りボックス１１の下面の開口部１１ａから下方に導出されている。
【００４４】
上記第１及び第２のスクリーン１６，１７、特に、建物開口部の屋外側に配される第１のスクリーン１６は、防虫や通風を確保できるネット状で透光性を有するものであれば、網戸の使用目的に応じて、例えば装飾性において優れたもの、ある程度の遮光性を有するもの、花粉を通さない微細なメッシュのものなど、適切な素材を選択することができる。第１及び第２のスクリーンは、同一の素材であっても、或いは異なる素材であってもよく、同一の素材で形成する場合には、巻取軸１２の周囲で連なった一連のスクリーン素材を用いることもできる。第２のスクリーン１７は、特に虫の侵入を防止できるものである必要はない。
【００４５】
上記第１及び第２のスクリーン１６，１７のうち、屋外側に配される第１のスクリーン１６には、図８に示すように、左右側端部に沿って布や合成樹脂からなる支持帯２０に保持させた多数の係合子２１を取り付け、この係合子２１をスクリーン枠の側枠２３におけるガイドレール２４に設けたスリット２４ａ内に摺動自在に係合させ、上記第１のスクリーン１６の左右側端部を保持した状態での上下移動をガイドさせている。なお、上記支持帯２０に保持させる多数の係合子２１としては、例えば、被服類において多用されているスライドファスナーの相互に接合される半体、或いはそれに相当するような部材を用いることができる。一方、上記第２のスクリーン１７の左右側端部には上記支持帯に保持させた多数の係合子を取り付けず、そのため、第２のスクリーン１７は側枠２３にガイドされず、フリーの状態にある。
【００４６】
上記スクリーン１６の側端部に沿って取り付けた上記多数の係合子２１は、スクリーン１６がそれに対して作用する風で煽られたりするのを抑制するのに有効なものであり、また、特に第１のスクリーン１６を防虫用ネットにより構成して、網戸１０を防虫網戸として機能させる場合には、第１のスクリーン１６の左右側端からの虫の進入も同時に防止することができる。
【００４７】
また、上記第１及び第２のスクリーン１６，１７は、それらの下端にそれぞれ個別に第１及び第２のボトムバー２６，２７を取り付けて、少なくとも上記第１のスクリーン１６の下端に取り付けた第１のボトムバー２６は、その両端に突設したガイド部片２６ａを上記側枠２３に縦設したガイド溝２８に嵌挿し、該ボトムバー２６の上下移動を該側枠２３によりガイドさせている。一方、上記第２のスクリーン１７の下端に取り付けた第２のボトムバー２７は、図９〜図１１の実施例を参照して後述するように、必要に応じてその両端の上下移動をガイドすればよいものではあるが、上記第１実施例においては、上記第２のボトムバー２７の両端に突設したガイド部片２７ａを、上記側枠２３に縦設したガイド溝２９に嵌挿し、該ボトムバー２７の上下移動を該側枠２３によりガイドさせている。
【００４８】
特に、この第１実施例においては、他の実施例と比較して、第２のボトムバー２７の両端のガイド部片２７ａの上下移動をガイドするガイド溝２９を、上記側枠２３における第１のボトムバー２６のガイド溝２８に近接させて設けている。つまり、両ガイド溝２８，２９を、第１及び第２のボトムバー２６，２７が相互に接触しない範囲で十分に接近するように形成しているので、巻取軸１２からの巻き戻しにより第１及び第２のスクリーン１６，１７を降下させる段階で、第１のスクリーン１６に対して多数のスラット１８により第２のスクリーン１７を介して吊下される第２のボトムバー２７が、より第１のスクリーン１６に近い位置で垂れ下がることになり、そのため、第２のスクリーン１７が第１のスクリーン１６にほぼ接触して重なる状態に保持される。
【００４９】
スクリーンは緊張状態に張設
また、第１のスクリーン１６は、左右側端部の係合子２１をスクリーン枠の側枠２３におけるガイドレール２４のガイド溝２８に摺動自在に係合させ、第１のボトムバー２６の上下移動も側枠２３によりガイドさせているので、第１のボトムバー２６によりその巻き戻し状態の如何に拘わらずスクリーン枠内に緊張状態に張設することができ、それに伴って、この第１のスクリーン１６にスラット１８により連結されると共に下端に第２のボトムバー２７を取り付けている第２のスクリーン１７も、第２のボトムバー２７が下枠２５上に達した後の特別の状態を除いて、スクリーン枠内において緊張状態に張設される。
なお、上記ボトムバー２６，２７には第１及び第２のスクリーン１６，１７が風で煽られたりするのを抑制してできるだけ緊張状態に保持するための重量を持たせるが、それが不足する場合には、その内部に重錘を収容すればよい。
【００５０】
更に、上記スクリーンユニット１５では、第１及び第２のスクリーン１６，１７間に多数のスラット１８を取り付けているので、特に該スラットが両スクリーン１６，１７と平行になっている場合には、全体的に風による煽り等の作用を大きく受けることになるが、両スクリーン１６，１７の下端にそれぞれ個別に第１及び第２のボトムバー２６，２７を取り付け、しかも、上記第１のスクリーン１６の係合子２１をスクリーン枠の側枠２３のガイド溝２８に摺動自在に係合させて、該第１のボトムバー２６の上下移動をガイドさせているので、それらがスクリーン１６，１７の動揺を効果的に抑止し、スクリーンユニット全体としての動揺を抑えるのに有効に機能することになる。
【００５１】
上記第１のスクリーン１６と第２のスクリーン１７との間には、遮光用素材、或いは、透光をある程度制限して目隠し効果を発揮するようにした多数のスラット１８を等間隔で起倒自在に取り付けているが、これらのスラット１８と上記第１及び第２のスクリーン１６，１７との連結は、図６に示すように、上記各スラット１８における幅方向の両側部に、第１及び第２のスクリーンと連結するための一定幅の連結代１８ａを設け、上記第１及び第２のスクリーン１６，１７の間に該スラット１８が平面状をなすように重ねて配設し、第１のスクリーン１６に連結したスラット１８の一側部の連結代１８ａに対し、隣接するスラット１８の第２のスクリーン１７に対する連結代１８ａが重なる位置において、該隣接するスラット１８を第２のスクリーン１７に対して連結し、この繰り返しによりスクリーンユニット１５を構成するのが望ましい。各スラット１８の連結代１８ａと両スクリーン１６，１７との連結は、それらを構成する線条相互の織り込みまたは編み込み、或いは相互の接着その他の接合等によって行うことができる。
【００５２】
スクリーンユニット１５にこのような構成を採用すると、第１のスクリーン１６に対して多数のスラット１８により第２のスクリーン１７及びその下端の第２のボトムバー２７を吊下し、第２のスクリーン１７及び第２のボトムバー２７がそれらに作用する重力により第１のスクリーン１６に沿う方向に引き寄せられた状態に垂れ下がっているときには、各スラット１８がその両側部の連結代１８ａにおいて順次重なるようになって、該スラットによる調光ないし遮光が確実に行われるばかりでなく、多数の上記スラット１８が等間隔で整列してデザイン的に美観を呈するものになる。
【００５３】
なお、第１及び第２のスクリーン１６，１７とスラット１８との連結の態様は、図６を参照して説明した上記構成に限るものではなく、例えば、上記スラット１８が両スクリーン１６，１７に対してほぼ平行な姿勢をとる場合に十分な遮光状態を確保するためには、スラット自体の遮光性を有する部分の上記両スクリーン１６，１７に対する取付間隔が、その遮光性部分の幅と同等またはそれ以下であることが必要であり、その範囲内でスラットの取付幅を適切に設定することができる。
【００５４】
また、該スラット１８は、上記両スクリーン１６，１７と共に巻取軸１２に巻き取るものであるから、その巻き取りの際には該巻取軸１２の円筒周面に沿うように巻かれる可撓性を有することが必要であるが、両スクリーン１６，１７が巻取軸１２から巻き戻される際には、ほぼ平面状になって上記遮光ないしは調光の機能を発揮する素材により形成する必要がある。更に、巻取軸１２の回転によるスラット１８の傾動に伴って上記スクリーン１６，１７間の幅が変動するとき、スラット１８が幅方向の力を受けることから、図４及び図５に示すようにある程度スラットが湾曲することも予測され、その場合に多数のスラットがランダムに湾曲するのは外観上好ましくないので、一定の湾曲癖を付しておくことが望まれる。
【００５５】
上記巻取りボックス１１は、図１等に示す建物開口部の上枠２２等に沿って取り付けられるもので、該巻取りボックス１１の内部に回転自在に支持された巻取軸１２には、その軸端に該巻取軸を回転させて第１及び第２のスクリーン１６，１７の巻き取り・巻き戻し回転を行うための開閉操作具を備えている。図７には、該開閉操作具として、巻取軸１２の両軸端に設けたプーリー１３のいずれかに巻き掛けている操作線条１４によって正逆の方向に回転できるように支持させた構造を例示しているが、図１５及び図１６に示すような連珠状その他の操作線条１４を採用することができ、また、コード等と呼ばれる操作線条に限らず、操作摘み、ハンドル、その他の構造のものを採用することができる。
【００５６】
次に、上記巻取軸１２に対して上記第１及び第２のスクリーン１６，１７を取り付けるに際しての両スクリーン１６，１７の取付位置や寸法関係について説明する。
先ず、基本的には、図１及び図２から明らかなように、上記第１及び第２のスクリーン１６，１７は、上記巻取軸１２の巻き戻し回転による両スクリーン１６，１７の降下時に、両スクリーン１６，１７にそれぞれ連結された多数のスラット１８が、第１のスクリーン１６に対して下端に第２のボトムバー２７を有する第２のスクリーン１７を吊下し、それにより、第２のスクリーン１７及びその下端の第２のボトムバー２７が第１のスクリーン１６に支持されて垂れ下がる状態になる寸法関係を有するものとして、上記巻取軸１２に取り付けられる。
【００５７】
この寸法関係は、巻取軸１２に対して第１及び第２のスクリーン１６，１７の上端の取付位置を調整することにより、容易に設定できるものであるが、以下に述べるように、第１及び第２のボトムバー２６，２７のいずれかがスクリーン枠の下枠２５に当接した状態で、上記各スラット１８が第２のスクリーン１７側において上下動する傾斜姿勢を取り得るように形成する必要がある。また、第１及び第２のスクリーン１６，１７が同一の一連のスクリーン素材によって形成されている場合には、第２のスクリーン１７の逆巻きによる巻き上げをも考慮する必要があるので、巻取軸１２の周囲の単一位置において固定できるとは限らず、複数位置において取り付けることを考慮した方が位置決めが容易になる。
なお、図２〜図５においては、巻取軸１２に対する第１及び第２のスクリーン１６，１７の各取付位置を符号１２ａ，１２ｂによって例示している。
【００５８】
上記第１及び第２のスクリーン１６，１７の巻取軸１２に対する取り付けは、上記巻取軸１２の巻き戻し回転による両スクリーンの降下により、第１及び第２のボトムバー２６，２７が同時に、または第１のボトムバー２６が第２のボトムバー２７に先行することなくスクリーン枠の下枠２５に達した後に、図４及び図５に示すように、第２のスクリーン１７が巻取軸１２に対して逆巻きで巻き上げられる状態になって、該第２のスクリーン１７を第１のスクリーン１６に対して上動させる寸法関係を有するものとして構成する必要がある。
【００５９】
この場合、必然的に上記第１及び第２のスクリーン１６，１７の長さが、それらがスクリーン枠に張設された状態で、上記スラット１８が採り得る任意の傾斜姿勢において、それらの下端のボトムバー２６，２７のいずれかが常にスクリーン枠の下枠２５に当接するように設定され、つまり、上記図４及び図５からわかるように、第１及び第２のボトムバー２６，２７のいずれかが上記下枠２５に当接した状態で、上記各スラット１８が第２のスクリーン１７側において上下動する傾斜姿勢を取り得るように形成される。そのため、いずれかのボトムバーがスクリーンによる巻き上げ力が作用しない状態でその自重によりスクリーン枠の下枠２５に対して安定的に当接し、その姿勢が風等で不安定になったり、上記下枠２５との間に隙間が生じて外観が損なわれたりすることがなく、また、該隙間が虫の進入路になったりするのを抑止することができる。
なお、上記スクリーン枠の下枠とは、上記左右側枠２３，２３の下端間に網戸１０の一部としての下枠を備えていない場合には、該網戸１０を設置する建物開口部の下枠がそれに相当することになる。
【００６０】
上記第１実施例においては、前述したように、第１のスクリーン１６が、その左右側端部に設けた多数の係合子２１をスクリーン枠の側枠２３におけるガイドレール２４に摺動自在に係合させているのに対し、第２のスクリーン１７の左右側端部は側枠２３にガイドさせることなく、フリーの状態にある。しかしながら、第１のスクリーン１６に対して多数のスラット１８により第２のスクリーン１７及びその下端の第２のボトムバー２７が吊下された状態にあるため、図１及び図２に示すように、第２のスクリーン１７及び第２のボトムバー２７がそれらに作用する重力により第１のスクリーン１６に沿う方向に引き寄せられた状態に保持されて垂れ下がることになる。
【００６１】
そのため、特に第２のスクリーン１７を第１のスクリーン１６に平行に近い状態に積極的に保持しなくても、スラット１８が第１のスクリーン１６に近接して平行に近い状態に保持され、スラット１８による調光性或いは遮光性を確保することができる。
なお、図１１を参照して後述するように、第２のボトムバー２７がある程度第１のボトムバー２６から離れた位置においてガイド溝２９によりガイドされたとしても、上記と同様の作用により第２のスクリーン１７は第１のスクリーン１６に近接した平行に近い状態に保持される。
【００６２】
上記巻取軸１２に重ねて巻き取られている第１及び第２のスクリーン１６，１７の長さについて更に具体的に説明すると、図２〜図５から分かるように、両スクリーン１６，１７の長さは、上記巻取軸１２の回転により第１及び第２のスクリーン１６，１７を巻き戻す際に、望ましくは第２のスクリーン１７の下端のボトムバー２７が先行してスクリーン枠の下枠２５に達した後に、第１のスクリーン１６の下端のボトムバー２６が下枠に達するような寸法関係を有するものとし、更なる巻取軸１２の回転により、第１のスクリーン１６の下端のボトムバー２６が上記下枠に当接したままで、図３〜図５に示すように、第２のスクリーン１７の上端が巻取軸１２に逆巻きで巻き上げられ、それに伴って、上記スラット１８が第２のスクリーン１７側において上動する姿勢を採り、それにより第１及び第２のスクリーン１６，１７間の間隔が開くように設定される。
【００６３】
上記第１実施例においては、図１〜図５及び図８から明らかなように、第２のスクリーン１７の下端に取り付けた第２のボトムバー２７の両端の上下移動を、前記第１のガイド形態によりガイドし、具体的には、上記第２のボトムバー２７の両端の上下移動を、側枠２３における第１のボトムバー２６のガイド溝２８に近接させて設けた第２のボトムバー２７のガイド溝２９によりガイドさせ、両ガイド溝２８，２９を、第１及び第２のボトムバー２７が相互に接触しない範囲で十分に接近するように形成している。
この第１のガイド形態では、上記巻取軸１２の巻き戻し回転により両スクリーンを降下させる際には、上述したように、両スクリーン１６，１７のボトムバー２６，２７がスクリーン枠の下枠２５に到達するまでは、第２のスクリーン１７及び第２のボトムバー２７が第１のスクリーン１６に沿う方向に引き寄せられた状態に保持される。
【００６４】
但し、第２のスクリーン１７の下端に取り付けた第２のボトムバー２７は、その両端を第１のスクリーン１６のガイド溝２８に近接したガイド溝２９によりガイドするので、第２のボトムバー２７が下枠２５に達して、巻取軸１２による第２のスクリーン１７の逆巻きにより第２のスクリーン１７の吊下位置（巻取軸への取付位置１２ｂ）が第１のスクリーン１６から離れた位置に移動したときには、第２のスクリーン１７自体がガイドされていないので上記吊下位置からある程度真っ直ぐに垂れ下がるが、該第２のスクリーンは下端に第２のボトムバー２７を取り付けているので、その下部まで真っ直ぐに垂れ下がらず、図４及び図５に示すように、第１のスクリーン１６側に若干引かれた状態になって少し弛みが出ることになる。その弛みに問題がある場合には、次の第２のガイド形態等を採用することによりそれを解消することができる。
【００６５】
図９は、上記第１実施例の網戸において、第２のスクリーン１７に対して第２のガイド形態を採用した第２実施例を示すもので、上記第２のガイド形態は、具体的には、上記第２のスクリーン１７の下端に取り付けた第２のボトムバー２７の両端をガイドする上記側枠２３のガイド溝２９を、第１実施例と同様に、上記側枠２３における第１のボトムバー２６のガイド溝２８に近接させて設けているが、該ガイド溝２９の下部においては、上記スラット１８の傾斜姿勢を調整できるところにまで両スクリーン１６，１７が降下している状態での第２のボトムバー２７の可動範囲において、上記ガイド溝２９の拡開により、該第２のボトムバー２７の両端のガイド部片２７ａ（図８参照）を上記ガイド溝２９から解放するようにし、そのうえで、スクリーン枠の側枠２３の下部から室内側に向けて、上記ガイド部片２７ａに係合して第２のボトムバー２７が巻取軸１２から垂下する状態からスクリーン枠に対し離れる方向に遊動するのを制限する移動制限用アタッチメント３０を付設している。
【００６６】
側枠２３に設けている第２のボトムバー２７のガイド溝２９の下端に連接して付設するところの上記移動制限用アタッチメント３０は、上記ガイド溝２９の下部における溝幅を大きく拡開するものであるが、第２のボトムバー２７が巻取軸１２から第２のスクリーン１７により吊下される図９のような状態において、風等により該ボトムバー２７がスクリーン枠を離れる方向（屋内側に移動する方向）に必要以上に遊動するのを制限するものであり、その意味では、上記移動制限用アタッチメント３０は、第２のボトムバー２７の両端のガイド部片２７ａを上記ガイド溝２９によるガイドからは解放するが、依然として、該ガイド溝２９における第２のスクリーン１７側（屋内側）のガイド溝壁に連接された遊動制限壁３０ａにより形成され、第２のボトムバー２７が巻取軸１２から吊下される状態からスクリーン枠に対して離れる方向に大きく逸脱するのを制限するガイド壁面を構成している。
【００６７】
このような移動制限用アタッチメント３０を付設することにより、第２のスクリーン１７の第１のガイド形態（図１〜図５）のように、上記第２のボトムバー２７を上下方向に真っ直ぐなガイド溝２９により下端までガイドさせることなく、第２のボトムバー２７をある程度下降させ、ガイド溝２９がなくなった段階で第２のスクリーン１７を巻取軸１２の巻き取り位置から真っ直ぐに垂下させることができ、前記第２のスクリーン１７の第１のガイド形態において生じるような、第２のスクリーン１７の下部の部分的な弛みは解消され、風等による第２のボトムバーの極端な動きも上記アタッチメント３０によって抑制される。また、上記アタッチメント３０は、風等により第２のボトムバー２７がスクリーン枠を離れる方向に遊動して人に危害を与えるのを防止する機能も兼備することになる。
【００６８】
更に、図１０に示す本発明の第３実施例では、第２のボトムバー２７の両端の上下移動についての第３のガイド形態を採用し、具体的には、上記第２のスクリーン１７の下端に取り付けた第２のボトムバー２７の両端の上下移動を無ガイドとして第２のスクリーン１７に吊下する構成を採用している。この第３のガイド形態においては、第２のボトムバー２７の両端の上下移動をガイドするガイド溝は存在しないが、第１のスクリーン１６に対して多数のスラット１８により第２のスクリーン１７及びその下端の第２のボトムバー２７が吊下されていることから、上記第１の形態に関連して先に説明したように、両スクリーン１６，１７のボトムバー２６，２７のいずれかがスクリーン枠の下枠２５に到達するまでは、第２のスクリーン１７が第１のスクリーン１６に平行に近い状態に保持される。つまり、第２のボトムバー２７のガイド溝がないため、若干第２のボトムバー２７の動作が不安定になる可能性があるにしても、ほぼ上記第１及び第２のガイド形態と同様な動作を行うことになる。
【００６９】
なお、この第３実施例の場合も、図１０に図示するように、第２実施例と同様な、第２のボトムバー２７の極端な動きを抑制する移動制限用アタッチメント３０を、該第２実施例における第２のボトムバー２７のガイド溝２９とは無関係に設けるのが望ましいが、第２のボトムバー２７の遊動が危惧されない場合や、全体的な構成を簡素化したい場合には、その付設を省略することができる。
【００７０】
また、図１１に示す本発明の第４実施例では、第２のボトムバー２７の上下移動について第４のガイド形態を採用している。この第４のガイド形態では、上記巻取軸１２の巻き戻し回転による両スクリーン１６，１７の降下の後に、上記第２のスクリーン１７が巻取軸１２に対して逆巻きの状態になって、該巻取軸からの第２のスクリーン１７の導出位置が第１のスクリーン１６の垂下位置から最も離れた位置にあるときに該第２のスクリーン１７が巻取軸１２から吊下される位置を最大離間位置として、側枠２３における第１のボトムバー２６のガイド溝２８から第１のガイド形態の場合よりも大きい一定長だけ離間した位置に、第２のボトムバー２７の上下移動をガイドするガイド溝２９を設け、該ガイド溝２９に第２のボトムバー２７の両端をガイドさせるように構成されるものである。
なお、図１１では上記最大離間位置に第２のボトムバー２７の上下移動をガイドするガイド溝２９を設けた例を示している。
【００７１】
この第４のガイド形態によれば、第２のボトムバー２７のガイド溝２９を、第１のボトムバー２６のガイド溝２８から所要長だけ離れた位置に設けるので、上記ガイド溝２９により第２のボトムバー２７の両端がガイドされるが、第２のスクリーン１７自体の側端はガイドされないので、前述したように両スクリーン１６，１７のボトムバー２６，２７のいずれかがスクリーン枠の下枠２５に到達するまでは、第２のスクリーン１７が第１のスクリーン１６に平行に近い状態に保持され、また、第２のスクリーン１７の巻取軸１２に対する逆巻きが始まると、第２のボトムバー２７が上記ガイド溝２９にガイドされていることから、第２のスクリーン１７が該ガイド溝２９にガイドされた第２のボトムバー２７から立ち上がる状態で張設され、該ガイド溝２９が図示のように上記最大離間位置にある場合には、第２のボトムバー２７から上方にほぼ垂直に張設され、第２のボトムバー２７の上動位置に応じてスラット１８が傾斜することになり、図４及び図５に示すように、第２のスクリーン１７の下部に第１のスクリーン１６側に引かれるような弛みが出ることはない。
【００７２】
次に、上述した巻取りボックス１１内への巻取軸１２の望ましい取付位置について説明する。上述のように、第１のスクリーンと第２のスクリーンとの間に多数のスラットの両端を取り付けた前記スクリーンユニットを、両スクリーンを重ねて巻取軸１２に巻き取るようにする場合には、その第１及び第２のスクリーン１６，１７をスクリーン枠内の全面に張設してスラット１８を傾動させる場合に、両スクリーンの間の間隔が巻取軸１２によりスラット傾動時の間隔に保持されるのが望ましく、そのため、巻取軸１２の径を両スクリーンの上記スラット傾動時の間隔とほぼ同等にするのが適切ではあるが、巻取軸１２の径をそのように設定すると、巻取軸１２に第１及び第２のスクリーン１６，１７を重ねて巻き取ったときの巻径が大きくなり、それだけ巻取りボックス１１の内容積を大きくする必要がある。
【００７３】
しかしながら、巻取りボックス１１を必要以上に大きくするのは望ましいことではなく、そのため、図１２に示す第５実施例においては、次のような構成によってその問題を解決している。
即ち、上記巻取軸１２に第１及び第２のスクリーン１６，１７を重ねて巻き取った状態では、巻き取った第１のスクリーン１６の側端部に沿って取り付けている係合子２１（図８参照）の巻取りスクリーン表面からの導出位置が、側枠２３における該係合子２１のガイドレール２４の上方に位置するように、巻取りボックス１１内における該巻取軸１２の支持位置を設定するのが、巻き戻しの開始に際して係合子２１のガイドレール２４への導入が円滑になり、また、上記巻取軸１２からの両スクリーン１６，１７の巻き戻しにより第２のスクリーン１７が該巻取軸１２における第１のスクリーン１６の導出側とは逆の周側面から垂下される状態（図４及び図５参照）では、その垂下位置が上記第１のスクリーン１６の張設位置に対して両スクリーン１６，１７間に取り付けているスラット１８がほぼ最大長をとる位置になるように、上記巻取りボックス１１内への巻取軸１２の支持位置を設定するのが、スラット１８の傾動の円滑のために望まれる。
【００７４】
上述した巻取軸１２の支持位置に関する実施態様は、図１２から明らかなように、巻取軸１２を小径化して巻取りボックスを小型化するのに有効なものであり、しかも、巻き取った第１のスクリーン１６の側端部に取り付けている係合子２１の該巻取りスクリーン表面からの導出位置を、側枠２３における該係合子２１のガイドレール２４の上方に位置させているため、巻取軸１２から巻き戻す第１のスクリーン１６の係合子２１がガイドレール２４に導入される角度が上記巻き戻しの進行に伴って増大するが、ガイドレール２４の上端またはそれに連接したガイドレール延長部２４ｂに係合子２１を導入する傾斜ガイド面２４ｃを備えることにより、係合子２１のガイドレール２４に対する導入のガイドを円滑に行うことができる。
【００７５】
また、上記構成により、巻取軸１２からスクリーンユニット１５の巻き厚さだけ離れた位置において第１のスクリーン１７が垂下されることになり、そのため、巻取軸１２に巻き取ったスクリーンユニット１５の巻き上げ表面をできるだけ第１のスクリーン１６の張設位置である巻取りボックス１１の室外側面に近接配置することができ、しかも、図１５から分かるように、両スクリーン１６，１７の張設時には、第２のスクリーン１７を巻取軸１２における第１のスクリーン１６導出側とは逆の周側面から垂下させることができ、そして、巻き取り状態にあるスクリーンユニット１５は、図１２に示すように、巻取りボックス１１の室内側に必要な大きさの収容空間を形成して、そこに収めることができるので、結果的に、巻取軸１２の軸径を小さくして、第１及び第２のスクリーン１６，１７を重ねて巻き取ったときの巻径を小さくすることができる。
【００７６】
図１３及び図１４に示す第６実施例は、第１及び第２のスクリーン１６，１７の長さがこの網戸を設置する建物開口部の上下方向長さに比して若干短い場合、或いは何らかの理由で、第１のスクリーン１６の下端の第１のボトムバー２６の下降時に、該ボトムバーとスクリーン枠の下枠２５との間に隙間が生じる場合などに、スクリーンユニット１５を必要な長さのものと交換したりすることなく、簡単に上記隙間をなくすために有効なものであり、具体的には、上記第１のスクリーン１６の下端に取り付ける第１のボトムバー２６を、ボトムバー本体２６ｂにその下部から寸法調整用の補助桟２６ｃが出没自在に挿入するように付設したものとして構成している。
【００７７】
該ボトムバー本体２６ｂ及び補助桟２６ｃの構成及び作用について更に具体的に説明すると、上記第１及び第２のスクリーン１６，１７が所定の長さのものとして製造され、それを既存の建物開口部に設置する場合に、該建物開口部における上下方向の設置部分の長さが網戸１０の設置に適する長さよりも若干大きい場合には、図１３及び図１４に示すように、第１のスクリーン１６の下端に取り付けるボトムバー２６を、ボトムバー本体２６ｂにその下部から寸法調整用の補助桟２６ｃを出没自在に嵌挿したものとすればよい。この場合に、上記補助桟２６ｃを手動で所要の長さだけ出し入れできるように形成してもよいが、該補助桟２６ｃがそれ自体の重力でボトムバー本体２６ｂから突出し、該補助桟２６ｃがスクリーン枠の下枠２５に当接してボトムバー本体２６ｂの重力がその上に作用したときには、該ボトムバー本体２６ｂ内に没入するものとして形成することもできる。
【００７８】
上記補助桟２６ｃは、ボトムバー本体２６ｂに対してその下部から出没自在に嵌挿しているため、図１３に示すように、ボトムバー２６と下枠２５との間の隙間が小さいときには補助桟２６ｃの突出量を小さくし、また、図１４に示すように、ボトムバー２６と下枠２５との間の隙間が大きいときには補助桟２６ｃの突出量を大きくすることにより、一定範囲の任意大きさの隙間に対応させることができ、これにより見苦しい隙間が生じるのを防ぐことができる。
なお、第２のスクリーン１７の下端に設けた第２のボトムバー２９についても、必要があれば上記第１のボトムバー２６と同様な構成を持たせることができる。
【００７９】
更に、上記図１３及び図１４に示すように、巻取りボックス１１の取り付けに隙間を隠すための任意高さのブラケット３２を用い、該ブラケット３２に巻取りボックス１１をビス（図示省略）などで固定することもでき、これを上記該補助桟２６ｃを付設する方式と併用することもできる。
【００８０】
上述のように、第１及び第２のスクリーン１６，１７の間にスラット１８を取り付けた前記スクリーンユニット１５を用い、上記スラットを傾動させるようにしたブラインド機能付き網戸においては、巻取りボックス１１における第１及び第２のスクリーン１６，１７が導出される開口部から該巻取りボックス１１内に虫等が侵入すると、それが室内側に侵入したり、巻取りボックス１１内においてスクリーンユニット１５の側端から第１及び第２のスクリーンの間に侵入して脱出できなくなることが多く、それらが第２のスクリーンを通して視認されるので非常に見苦しくなり、しかも、そこに虫類の死骸が溜まると網戸が使用に耐えないものになる。
【００８１】
しかしながら、図１５において第７実施例として示すように、上述した巻取りボックス１１の所要位置に簡易な隙間封止材３５を配設することにより、第１及び第２のスクリーン１６，１７間に虫が侵入するのを抑止することができる。
この第７実施例の網戸においては、少なくとも上記第１のスクリーン１６を防虫用ネットにより構成し、上記巻取軸１２を回転可能に収容した巻取りボックス１１における下部の第１及び第２のスクリーン１６，１７が導出される開口部１１ａにおいて、第１のスクリーン１６の側端の係合子２１がガイドレール２４に摺動自在に係合している範囲内で該第１のスクリーン１６に対向する巻取りボックス１１の開口部壁１１ｂに、巻取軸１２から導出される第１のスクリーン１６に近接または接触してその間の虫類の通過を抑止する隙間封止材３５を配設している。
なお、上記隙間封止材３５としては、一般的にモヘアと呼ばれる柔らかくて毛足の長い繊維を植毛した隙間の封止材、或いは、遮光性のある軟質発泡合成樹脂部材や柔軟なゴム状薄片などを用いることができる。
【００８２】
上記スクリーンユニット１５を用いた網戸においては、虫の進入を防止する必要があるのは、上記巻取りボックス１１における下部の開口部１１ａ、特に、該開口部１１ａにおける室外側の開口部壁１１ｂと巻取軸１２から導出される第１のスクリーン１６との間に生じる隙間である。しかるに、巻取りボックス１１の第１及び第２のスクリーン１６，１７が導出される開口部１１ａにおいては、図１５に示しているように、巻取軸１２に対する第２のスクリーン１７の逆巻きにより、スラット１８の第２のスクリーン１７に連結している側を上動させると、第１のボトムバー２６が既に下枠２５にまで達している第１のスクリーン１６の上部に弛み１６ａが生じることになり、この弛みが生じた部分において上記開口部壁１１ｂに設けた隙間封止材３５を第１のスクリーン１６に接触させたとしても、必ずしも虫の進入抑制効果を期待できるとは限らない。
【００８３】
そのため、上記第１のスクリーン１６において弛み１６ａが生じる部分を避けて上記隙間封止材３５を配設すべく、第１のスクリーン１６の巻取りボックス１１内への導入部内まで、第１のスクリーン１６の側端部に取り付けている係合子２１のガイドレール２４の上端を延設し、または、側枠２３内のガイドレール２４の上端にガイドレール延長部２４ｂを連接して、巻取りボックス１１内においても係合子２１をガイドさせることにより、第１のスクリーン１６の側端の係合子２１がガイドレール２４に摺動自在に係合する範囲を延設し、これによる第１のスクリーンの両端支持により上記弛み１６ａが生じるのを抑制して緊張状態に保持させるようにした第１のスクリーン１６に対向させて、巻取りボックス１１の開口部壁１１ｂに、該第１のスクリーンに近接または接触して虫類の進入を抑止する隙間封止材３５を配設している。従って、第１及び第２のスクリーン１６，１７間に虫が侵入したり、外部から室内側に虫が侵入するのを安定的に抑止することができる。
【００８４】
また、上述のように、第１及び第２のスクリーン１６，１７の間に遮光性のあるスラット１８を取り付けた前記スクリーンユニット１５を用いたブラインド機能付き網戸においては、スラット１８の傾動のために、第１及び第２のスクリーン１６，１７間の間隔を単一のスクリーンの場合に比して非常に大きくすることから、巻取りボックス１１の下面の上記開口部１１ａを、第１及び第２のスクリーン間の間隔の方向に大きくする必要があり、この開口部１１ａ等を通して夜間に屋外の光が室内に漏れ込むのを抑止することが望まれる。
更に、図１５を参照して前述したところから分かるように、巻取りボックス１１の下面の開口部１１ａにおいては、巻取軸１２により両スクリーン１６，１７の巻き戻しを不用意に行うと、巻取軸１２に対する第２のスクリーン１７の逆巻きにより第１のスクリーン１６の上部に弛み１６ａが生じることになり、この弛みが生じた部分においてはスラット１８の変形等により図１７に示すように外部からの光漏れ部３７が生じる可能性がある。
【００８５】
図１６及び図１７に示す第８実施例は、上記遮光を一層確実に行うためのもので、この第８実施例においては、上記スラット１８を遮光性のあるシートにより形成して、隣接するスラット１８をそれらの間から光漏れしないように配列させると共に、第１のスクリーン１６の左右側端に沿って取り付ける多数の係合子２１の支持帯２０を遮光材料により形成し、或いは上記スクリーン枠の側枠２３に沿って別途付設する遮光枠（図示省略）により、第１のスクリーン１６の左右側端に沿う光漏れを遮断し、更に、上記巻取軸１２を回転可能に収容した巻取りボックス１１における下部の開口部１１ａの第１のスクリーン１６に対向する開口部壁１１ｂに、巻取軸１２から導出される第１のスクリーンに接触してその間の光漏れを抑止する漏れ防止材３８ａを配設している。この漏れ防止材３８ａとしては、虫の進入を防止する隙間封止材３５として先に例示したような素材を用いることができる。
【００８６】
また、上記光の漏れ防止材３８ａとは別に、図１６及び図１７に示すように、巻取りボックス１１の下面の開口部１１ａの室外側面及び左右側端面のボックス壁に下方に垂下する遮光壁により構成する光の漏れ防止材３８ｂを設けて、これにより、或いは前記漏れ防止材３８ａとの併用により、上述したような光の漏れを効果的に抑制することができる。
【００８７】
上記ブラインド機能付き網戸においては、巻取軸１２を回転させて第１及び第２のスクリーン１６，１７の巻き取り・巻き戻し回転を行うための操作線条１４等からなる開閉操作具を備え、該開閉操作具によりスクリーンユニット１５を操作する場合に、所要位置で該スクリーンユニットを停止させることは比較的困難である。特に、上記スクリーンユニット１５を備えた網戸においては、第１及び第２のスクリーン１６，１７を巻き取るときには、最終的に、ボトムバー２６，２７のいずれかが巻取りボックス１１に当接するので比較的問題はないが、上記巻取軸１２の巻き戻し回転時に過回転すると、第１のボトムバー２６がスクリーン枠の下枠２５に当接後に、両スクリーン１６，１７が巻取軸１２に逆巻きで巻き取られる可能性があり、そのため、第２のスクリーン１７によりスラット１８を上動させる限度を設定して、その限度以上の上記開閉操作具の操作を不能にするのが、スクリーンユニット１５の一部の破損の防止に有効である。
【００８８】
そこで、上記網戸においては、図１５及び図１６等に示すように、上記巻取軸１２の軸端に、該巻取軸を回転させて第１及び第２のスクリーンの巻き取り・巻き戻し回転を行うための連珠状の操作線条１４からなる開閉操作具を備え、該開閉操作具に、上記巻取軸１２の巻き戻し回転時の過回転によって第１のボトムバー２６がスクリーン枠の下枠２５に当接後に該下枠から離間する前の、破損が生じない状態で巻取軸の回転を停止させるストッパ４０を設け、これによりスクリーンユニット１５の破損を防止している。上記ストッパ４０としては、上記操作線条１４の一部に巻取りボックス１１への導入孔の口縁に係止する円盤状部材を付設した構成を示しているが、適宜構成のストッパ４０を既知の各種構成の開閉操作具に付設することができる。
【００８９】
また、前記第７実施例との関連において説明したが、上記網戸においては、第１及び第２のスクリーン１６，１７とスラット１８で囲まれる筒状空間を有し、この間に虫や異物が入るのを防止することを十分に考慮する必要がある。この問題に対処し、図１８及び図１９に示す第９実施例の網戸においては、スクリーン枠の左右側枠２３に、該側枠における上下方向のスクリーンユニット１５の張設可能範囲にわたって、第１のスクリーン１６と第２のスクリーン１７との間が最も開いた状態にあるときの該両スクリーン間の左右端面、並びに、第２のスクリーン１７における左右端の前面側を覆うように、上記スクリーンユニット１５の保護及び防塵のためのカバー４３を付設している。このカバー４３は、図１９から分かるように、スクリーン枠の側枠２３と一体化して、例えば、合成樹脂等で一定の断面を有する型材として成形しても、或いは、上記カバー４３と室外側の補助カバー４４とを側枠２３と別体に形成して、ネジ等で側枠２３に固定するように形成してもよい。
このようなカバー４３は、上記筒状空間に虫や異物が入るのを防止するために有効であるだけでなく、幼児らやペット類によるスクリーンユニット１５の左右両側端の損傷を抑制できる点でも有効なものである。
【００９０】
ここで、上記第２実施例以下のブラインド機能付き網戸についての図で、第１実施例の網戸と実質的に相違のない部分の構成及び作用は、第１実施例に関連して説明したブラインド機能付き網戸のそれらと同一であるから、第２実施例以下の図における同一または相当部分に同一符号を付して、それらの説明を省略する。
【符号の説明】
【００９１】
１０      網戸
１１      巻取りボックス
１１ａ    開口部    
１１ｂ    開口部壁
１２      巻取軸
１２ａ，１２ｂ    取付位置
１３      プーリー
１４      操作線条
１５      スクリーンユニット
１６      第１のスクリーン
１６ａ    弛み
１７      第２のスクリーン
１８      スラット
１８ａ    連結代
２０      支持帯
２１      係合子
２２      上枠
２３      側枠
２４      ガイドレール
２４ａ    スリット
２４ｂ    ガイドレール延長部
２４ｃ    傾斜ガイド面
２５      下枠
２６      第１のボトムバー
２６ａ    ガイド部片
２６ｂ    ボトムバー本体
２６ｃ    補助桟
２７      第２のボトムバー
２７ａ    ガイド部片
２８，２９    ガイド溝
３０      アタッチメント
３０ａ    遊動制限壁
３２      ブラケット
３５      隙間封止材
３８ａ，３８ｂ    漏れ防止材
４０      ストッパ
４３      カバー
４４      補助カバー
【図１】
2014115684.tif 000003
【図２】
2014115684.tif 000004
【図３】
2014115684.tif 000005
【図４】
2014115684.tif 000006
【図５】
2014115684.tif 000007
【図６】
2014115684.tif 000008
【図７】
2014115684.tif 000009
【図８】
2014115684.tif 000010
【図９】
2014115684.tif 000011
【図１０】
2014115684.tif 000012
【図１１】
2014115684.tif 000013
【図１２】
2014115684.tif 000014
【図１３】
2014115684.tif 000015
【図１４】
2014115684.tif 000016
【図１５】
2014115684.tif 000017
【図１６】
2014115684.tif 000018
【図１７】
2014115684.tif 000019
【図１８】
2014115684.tif 000020
【図１９】
2014115684.tif 000021
【図２０】
2014115684.tif 000022
【国際調査報告】
2014115684.tif 000023
2014115684.tif 000024
2014115684.tif 000025
2014115684.tif 000026